(57)【要約】      （修正有）【課題】不定型用紙サイズをピンチ操作によって詳細かつ効率よくユーザー設定させる画像形成装置を提供する。【解決手段】不定型用紙サイズを設定させる用紙サイズ設定画面において受け付けたピンチ操作の角度を特定し、２つのタッチ位置を結ぶ直線が概ねＸ方向を向いているＸ方向操作である場合には用紙長を０．１ｍｍずつ変化させ、同様にＹ方向操作である場合には用紙幅を０．１ｍｍずつ変化させることによって詳細なサイズ変更を容易にする。ピンチ操作が斜め方向操作である場合には用紙長と用紙幅とを共に１００．０ｍｍずつ変化させることによって大まかなサイズ変更の手間が軽減される。【選択図】図９
2017017417.tif 000002
【特許請求の範囲】
【請求項１】
タッチパネル上の２つのタッチ位置を接近動作または離間動作させるピンチ操作を検出して不定型用紙の設定サイズを調整する画像形成装置であって、
ピンチ操作の角度として、前記２つのタッチ位置を結んだ直線が前記タッチパネルの検出座標系の座標軸となす角度を特定する角度特定手段と、
前記ピンチ操作の角度が第１の角度範囲内にある場合と、前記第１の角度範囲と重ならない第２の角度範囲内にある場合とで、単位操作当たりの設定サイズの調整量を異ならせる調整量変更手段と、を備える
ことを特徴とする画像形成装置。
【請求項２】
前記調整量変更手段は、
前記検出座標系の直交する２つの座標軸のうち第１の座標軸を用紙長方向に、第２の座標軸を用紙幅方向に対応させ、
前記第１の角度範囲は、前記ピンチ操作の角度が、前記第１の座標軸に対して±α度以内である第３の角度範囲と、前記第２の座標軸に対して±β度以内である第４の角度範囲とからなっており、
α  ＋  β  ＜  ９０
であって、
前記ピンチ操作の角度が、前記第３の角度範囲内にある場合には用紙長のみについて、前記第４の角度範囲内にある場合には用紙幅のみについて、また、前記第２の角度範囲内にある場合には用紙長と用紙幅両方について、設定サイズが調整され、
前記ピンチ操作の方向が、第１の角度範囲内にある場合の調整量よりも、前記第２の角度範囲内にある場合の調整量の方が大きい
ことを特徴とする請求項１に記載の画像形成装置。
【請求項３】
前記２つのタッチ位置を接近動作させるピンチアウト操作では、前記調整量だけ設定サイズを増加させ、
前記２つのタッチ位置を離間動作させるピンチイン操作では、前記調整量だけ設定サイズを減少させる
ことを特徴とする請求項１又は２に記載の画像形成装置。
【請求項４】
前記不定型用紙の設定サイズを調整するための用紙サイズ設定画面を前記タッチパネルに表示させる用紙サイズ設定画面表示手段を備え、
前記角度特定手段は、前記用紙サイズ設定画面が前記タッチパネルに表示されている場合にのみ前記角度を特定する
ことを特徴とする請求項１から３の何れかに記載の画像形成装置。
【請求項５】
前記調整量変更手段は、調整量の大きさを前記タッチパネルに表示させる調整量表示手段を備える
ことを特徴とする請求項１から４の何れかに記載の画像形成装置。
【請求項６】
サイズ設定可能な用紙長及び用紙幅の上下限値を記憶する記憶手段と、
用紙長と用紙幅とそれぞれについて個別に前記上下限値を超えたサイズ設定を禁止する禁止手段と、を備える
ことを特徴とする請求項１から５の何れかに記載の画像形成装置。
【請求項７】
数値入力によって前記用紙長及び用紙幅のサイズ設定を受け付ける数値入力受付手段を備え、
前記調整量変更手段は、前記数値入力受付手段がサイズ設定を受け付けた後は、前記ピンチ操作の角度が前記第２の角度範囲内にある場合における前記調整量を小さくする
ことを特徴とする請求項１から６の何れかに記載の画像形成装置。
【請求項８】
前記ピンチ操作の角度が第１の角度範囲内にある場合には、オーバーレイの設定サイズを所定の調整量だけ変更し、
前記第１の角度範囲と重ならない第２の角度範囲内にある場合には、オーバーレイの現在の設定サイズに最も近い定型サイズにオーバーレイの設定サイズを変更するオーバーレイ変更手段を備える
ことを特徴とする請求項１から７の何れかに記載の画像形成装置。
【請求項９】
前記オーバーレイ変更手段は、
前記検出座標系の直交する２つの座標軸のうち第１の座標軸を用紙長方向に、第２の座標軸を用紙幅方向に対応させ、
前記第１の角度範囲は、前記ピンチ操作の角度が、前記第１の座標軸に対して±α度以内である第３の角度範囲と、前記第２の座標軸に対して±β度以内である第４の角度範囲とからなっており、
α  ＋  β  ＜  ９０
であって、
前記ピンチ操作の角度が、前記第３の角度範囲内にある場合には用紙長のみについて、前記第４の角度範囲内にある場合には用紙幅のみについて、オーバーレイの設定サイズを変更する
ことを特徴とする請求項８に記載の画像形成装置。
【請求項１０】
前記オーバーレイ変更手段は、
前記ピンチ操作の角度が前記第２の角度範囲内にある場合であって、
前記２つのタッチ位置を接近動作させるピンチアウト操作では、前記定型サイズまでオーバーレイの設定サイズを拡大させ、
前記２つのタッチ位置を離間動作させるピンチイン操作では、前記定型サイズまでオーバーレイの設定サイズを縮小させる
ことを特徴とする請求項８又は９に記載の画像形成装置。
【請求項１１】
前記オーバーレイの設定サイズを変更するためのオーバーレイ設定画面を前記タッチパネルに表示させるオーバーレイ設定画面表示手段を備え、
前記角度特定手段は、前記オーバーレイ設定画面が表示されている場合にのみ前記角度を特定する
ことを特徴とする請求項８から１０の何れかに記載の画像形成装置。
【請求項１２】
設定サイズの調整対象となる不定型用紙が長尺用紙であるか否かを判定する長尺判定手段を備え、
前記調整量変更手段は、
前記不定型用紙が長尺用紙である場合には、
前記検出座標系の直交する２つの座標軸のうち第１の座標軸を用紙長方向に、第２の座標軸を用紙幅方向に対応させ、
前記第１の角度範囲は、前記ピンチ操作の角度が、前記第１の座標軸に対して±α度以内である第３の角度範囲と、前記第２の座標軸に対して±β度以内である第４の角度範囲とからなっており、
α  ＋  β  ＜  ９０
であって、
前記ピンチ操作の角度が、前記第１の角度範囲内と前記第２の角度範囲内にある場合との何れにおいても用紙幅のみについて設定サイズが調整され、
前記ピンチ操作の角度が、第１の角度範囲内にある場合の調整量よりも、前記第２の角度範囲内にある場合の調整量の方が大きい
ことを特徴とする請求項１に記載の画像形成装置。
【請求項１３】
現在の設定サイズが何れかの定型サイズから所定の範囲内であるか否かを判定するサイズ判定手段を備え、
前記調整量変更手段は、
前記ピンチ操作の角度が前記第２の角度範囲内にある場合において、
現在の設定サイズが何れかの定型サイズから所定の範囲内であるときの調整量が、現在の設定サイズが何れの定型サイズからも所定の範囲内にないときの調整量よりも小さい
ことを特徴とする請求項１から１２の何れかに記載の画像形成装置。
【請求項１４】
前記２つのタッチ位置間の距離が所定量変化する毎に前記調整量だけ設定サイズを変更する
ことを特徴とする請求項１から１３の何れかに記載の画像形成装置。
【発明の詳細な説明】
【技術分野】
【０００１】
本発明は、画像形成装置に関し、特に、不定型用紙サイズをピンチ操作により効率よくユーザー設定させる技術に関する。
【背景技術】
【０００２】
従来、手差しトレイを有する画像形成装置においては、ユーザー所望のさまざまな用紙サイズの記録シートが手差しトレイにセットされ得る。どのような用紙サイズの記録シートがセットされたかは、例えば、操作パネルにおいてユーザー指定される。この場合において、予め設定された用紙サイズから選択させるよりも、ユーザーが自由にサイズ設定できる方が望ましい。また、近年では操作パネルにタッチパネルが採用されていることが多いため、タッチ操作によってサイズ指定できれば、なお好適である。
【０００３】
しかしながら、１回のタッチ操作で手差しシートの最大サイズから最小サイズまでサイズ変更できるようにすると、０．１ｍｍ単位のような細かいサイズ調整が難しくなる。また、細かいサイズ調整を容易にするために、例えば、１操作当たりのサイズ調整量Ａを小さくすると、細かいサイズ調整が容易になる一方、サイズを大きく変化させたいときには何度もタッチ操作を繰り返さなければならず、操作性が低下する。
【０００４】
更に、別のボタンを用いてサイズ調整量Ａを切り替えることも考えられるが、タッチ操作の合間に別のボタンを操作しなければならなくなるので、操作性が低下してしまう。
このような問題に対して、例えば、ピンチ操作によって画像サイズを指定させて記録シートに印刷する画像形成装置において、ピンチ操作する２本の指を急速に開くか閉じると画像サイズを定型サイズ拡大又は縮小する装置が提案されている（特許文献１を参照）。この提案を用紙サイズの指定に応用すれば、ピンチ操作速度を早くすることによって、用紙サイズを定型サイズに指定することができる。
【先行技術文献】
【特許文献】
【０００５】
【特許文献１】特開２０１２−１２１１７９号公報
【発明の概要】
【発明が解決しようとする課題】
【０００６】
しかしながら、ピンチ操作の速度はユーザー毎にまちまちである。また、操作速度の閾値は、個々のユーザーが実際にピンチ操作を繰り返して探り当てる他に知る術がないという意味で上記の従来技術をサイズ設定に応用することは困難である。
本発明は、上述のような問題に鑑みて為されたものであって、不定型用紙サイズをピンチ操作によって詳細かつ効率よくユーザー設定させる画像形成装置を提供することを目的とする。
【課題を解決するための手段】
【０００７】
上記目的を達成するため、本発明に係る画像形成装置は、タッチパネル上の２つのタッチ位置を接近動作または離間動作させるピンチ操作を検出して不定型用紙の設定サイズを調整する画像形成装置であって、ピンチ操作の角度として、前記２つのタッチ位置を結んだ直線が前記タッチパネルの検出座標系の座標軸となす角度を特定する角度特定手段と、前記ピンチ操作の角度が第１の角度範囲内にある場合と、前記第１の角度範囲と重ならない第２の角度範囲内にある場合とで、単位操作当たりの設定サイズの調整量を異ならせる調整量変更手段と、を備えることを特徴とする。
【発明の効果】
【０００８】
このようにすれば、ピンチ操作の角度を変えるだけでサイズ設定の調整量を切り替えることができるので、不定型用紙サイズの詳細設定が容易したり、大きなサイズ変更を迅速化したりする操作の切替えが容易になる。したがって、不定型用紙サイズをピンチ操作によって詳細かつ効率よくユーザー設定させることができる。
この場合において、前記調整量変更手段は、前記検出座標系の直交する２つの座標軸のうち第１の座標軸を用紙長方向に、第２の座標軸を用紙幅方向に対応させ、前記第１の角度範囲は、前記ピンチ操作の角度が、前記第１の座標軸に対して±α度以内である第３の角度範囲と、前記第２の座標軸に対して±β度以内である第４の角度範囲とからなっており、
α  ＋  β  ＜  ９０
であって、前記ピンチ操作の角度が、前記第３の角度範囲内にある場合には用紙長のみについて、前記第４の角度範囲内にある場合には用紙幅のみについて、また、前記第２の角度範囲内にある場合には用紙長と用紙幅両方について、設定サイズが調整され、前記ピンチ操作の方向が、第１の角度範囲内にある場合の調整量よりも、前記第２の角度範囲内にある場合の調整量の方が大きくてもよい。
【０００９】
また、前記２つのタッチ位置を接近動作させるピンチアウト操作では、前記調整量だけ設定サイズを増加させ、前記２つのタッチ位置を離間動作させるピンチイン操作では、前記調整量だけ設定サイズを減少させてもよい。
また、前記不定型用紙の設定サイズを調整するための用紙サイズ設定画面を前記タッチパネルに表示させる用紙サイズ設定画面表示手段を備え、前記角度特定手段は、前記用紙サイズ設定画面が前記タッチパネルに表示されている場合にのみ前記角度を特定してもよい。
【００１０】
また、前記調整量変更手段は、調整量の大きさを前記タッチパネルに表示させる調整量表示手段を備えてもよい。
また、サイズ設定可能な用紙長及び用紙幅の上下限値を記憶する記憶手段と、用紙長と用紙幅とそれぞれについて個別に前記上下限値を超えたサイズ設定を禁止する禁止手段と、を備えてもよい。
【００１１】
また、数値入力によって前記用紙長及び用紙幅のサイズ設定を受け付ける数値入力受付手段を備え、前記調整量変更手段は、前記数値入力受付手段がサイズ設定を受け付けた後は、前記ピンチ操作の角度が前記第２の角度範囲内にある場合における前記調整量を小さくしてもよい。
また、前記ピンチ操作の角度が第１の角度範囲内にある場合には、オーバーレイの設定サイズを所定の調整量だけ変更し、前記第１の角度範囲と重ならない第２の角度範囲内にある場合には、オーバーレイの現在の設定サイズに最も近い定型サイズにオーバーレイの設定サイズを変更するオーバーレイ変更手段を備えてもよい。
【００１２】
また、前記オーバーレイ変更手段は、前記検出座標系の直交する２つの座標軸のうち第１の座標軸を用紙長方向に、第２の座標軸を用紙幅方向に対応させ、前記第１の角度範囲は、前記ピンチ操作の角度が、前記第１の座標軸に対して±α度以内である第３の角度範囲と、前記第２の座標軸に対して±β度以内である第４の角度範囲とからなっており、
α  ＋  β  ＜  ９０
であって、前記ピンチ操作の角度が、前記第３の角度範囲内にある場合には用紙長のみについて、前記第４の角度範囲内にある場合には用紙幅のみについて、オーバーレイの設定サイズを変更してもよい。
【００１３】
また、前記オーバーレイ変更手段は、前記ピンチ操作の角度が前記第２の角度範囲内にある場合であって、前記２つのタッチ位置を接近動作させるピンチアウト操作では、前記定型サイズまでオーバーレイの設定サイズを拡大させ、前記２つのタッチ位置を離間動作させるピンチイン操作では、前記定型サイズまでオーバーレイの設定サイズを縮小させてもよい。
【００１４】
また、前記オーバーレイの設定サイズを変更するためのオーバーレイ設定画面を前記タッチパネルに表示させるオーバーレイ設定画面表示手段を備え、前記角度特定手段は、前記オーバーレイ設定画面が表示されている場合にのみ前記角度を特定してもよい。
また、設定サイズの調整対象となる不定型用紙が長尺用紙であるか否かを判定する長尺判定手段を備え、前記調整量変更手段は、前記不定型用紙が長尺用紙である場合には、前記検出座標系の直交する２つの座標軸のうち第１の座標軸を用紙長方向に、第２の座標軸を用紙幅方向に対応させ、前記第１の角度範囲は、前記ピンチ操作の角度が、前記第１の座標軸に対して±α度以内である第３の角度範囲と、前記第２の座標軸に対して±β度以内である第４の角度範囲とからなっており、
α  ＋  β  ＜  ９０
であって、前記ピンチ操作の角度が、前記第１の角度範囲内と前記第２の角度範囲内にある場合との何れにおいても用紙幅のみについて設定サイズが調整され、前記ピンチ操作の角度が、第１の角度範囲内にある場合の調整量よりも、前記第２の角度範囲内にある場合の調整量の方が大きくてもよい。
【００１５】
また、現在の設定サイズが何れかの定型サイズから所定の範囲内であるか否かを判定するサイズ判定手段を備え、前記調整量変更手段は、前記ピンチ操作の角度が前記第２の角度範囲内にある場合において、現在の設定サイズが何れかの定型サイズから所定の範囲内であるときの調整量が、現在の設定サイズが何れの定型サイズからも所定の範囲内にないときの調整量よりも小さくてもよい。
【００１６】
また、前記２つのタッチ位置間の距離が所定量変化する毎に前記調整量だけ設定サイズを変更してもよい。
【図面の簡単な説明】
【００１７】
【図１】本発明の第１の実施の形態に係る画像形成装置の主要な構成を示す外観斜視図である。
【図２】操作パネル１００の主要な構成を示す外観斜視図である。
【図３】コントローラー部１２２の主要なハードウェア構成を示すブロック図である。
【図４】コントローラー部１２２の主要な機能構成を示すブロック図である。
【図５】ピンチ操作の角度範囲を例示する図である。
【図６】コントローラー部１２２の主要な動作を示すフローチャートである。
【図７】用紙サイズ設定画面を例示する図である。
【図８】ピンチ操作の角度を算出する処理を示すフローチャートである。
【図９】サイズ設定操作を例示する図であって、（ａ）はＸ方向操作、（ｂ）はＹ方向操作、（ｃ）は斜め操作を説明する図である。
【図１０】本発明の第２の実施の形態に係るコントローラー部１２２の動作を表すフローチャートである。
【図１１】調整量を表示する用紙サイズ設定画面７を例示する図であって、（ａ）はＸ方向操作、（ｂ）はＹ方向操作、（ｃ）は斜め操作時の表示である。
【図１２】本発明の第３の実施の形態に係るコントローラー部１２２の動作を表すフローチャートである。
【図１３】サイズ設定を制限した場合の用紙サイズ設定画面を例示する図である。
【図１４】本発明の第４の実施の形態に係るコントローラー部１２２の動作を表すフローチャートである。
【図１５】本発明の第５の実施の形態に係るオーバーレイして画面を例示する図である。
【図１６】本発明の第５の実施の形態に係るコントローラー部１２２の動作を表すフローチャートである。
【図１７】本発明の第６の実施の形態に係る長尺用紙サイズ設定画面を例示する図である。
【図１８】本発明の第６の実施の形態に係るコントローラー部１２２の動作を表すフローチャートである。
【図１９】本発明の第７の実施の形態に係るコントローラー部１２２の動作を表すフローチャートである。
【発明を実施するための形態】
【００１８】
以下、本発明に係る画像形成装置の実施の形態について、図面を参照しながら説明する。
［１］第１の実施の形態
本発明の第１の実施の形態に係る画像形成装置はピンチ操作におけるタッチ位置の開閉方向（ユーザーが指を開いたり閉じたりする方向）がタッチパネル上で斜め方向であるか否かによってピンチ操作１回当たりのサイズ調整量Ａを切り替えることを特徴とする。これによって、パネル操作を煩瑣にすることなく、効率よくユーザーにサイズ設定を行わせることができる。
【００１９】
（１）画像形成装置の構成
まず、本実施の形態に係る画像形成装置の構成について説明する。
図１に示されるように、画像形成装置１は、いわゆるカラー複合機（MFP: Multi-Function Peripheral）であって、画像入力デバイスであるスキャナー部１１０、画像出力デバイスであるプリンター部１２０、給紙部１３０及び操作パネル１００を備えている。操作パネル１００は、図２に示されるように、タッチパネル部２００とハードキー２１０とを備えている。画像形成装置１は、操作パネル１００にてユーザーに情報提示を行ったり、指示入力を受け付けたりする。スキャナー部１１０は、原稿トレイ１１１に載置された原稿を自動原稿搬送装置（ADF: Automatic Document Feeder）１１２を用いて一枚ずつ搬送し、画像を読み取ってデジタル画像データを生成する。
【００２０】
プリンター部１２０は、操作パネル１００にて受け付けた指示入力や不図示のＬＡＮ（Local Area Network）等のネットワークを介してＰＣ（Personal Computer）等の他の装置から受け付けた画像形成ジョブに応じて、スキャナー部１１０が生成した画像データや他の装置から受け付けた画像データを用いてトナー像を形成する。形成されたトナー像は、給紙部１３０が供給した記録シートに転写され、熱定着された後、排紙トレイ１２１上に排出される。
【００２１】
プリンター部１２０は、コントローラー部１２２を内蔵しており、コントローラー部１２２は画像形成装置１の各部の動作を制御する。図３に示されるように、コントローラー部１２２は、ＣＰＵ（Central Processing Unit）３０１、ＲＯＭ（Read Only Memory）３０２等を備えている。
コントローラー部１２２は、画像形成装置１に電源が投入されると、ＣＰＵ３０１が、システムバス３１０を介してＲＯＭ３０２からブートプログラムを読み出し、ＲＡＭ（Random Access Memory）３０３を作業用記憶領域として、ＨＤＤ（Hard Disk Drive）３０４から読み出したＯＳ（Operating System）や制御プログラムを実行する。ＨＤＤ３０４には、ユーザ情報やアドレス帳、画像形成装置の設定データ等も格納される。
【００２２】
ＣＰＵ３０１はＮＩＣ（Network Interface Card）３０７を用いて、ＬＡＮ等のネットワークを介して他の装置と相互に通信する。また、コントローラー部１２２は、デバイスインターフェイス３０５を介してスキャナー部１１０やプリンター部１２０の動作を制御する。
パネルインターフェイス３０６は、ＣＰＵ３０１が操作パネル１００にアクセスするためのインターフェイスである。操作パネル１００は、タッチパネル部２００とハードキー部２１０とを備えており、タッチパネル部２００はタッチパッド２０１と液晶ディスプレイ（LCD: Liquid Crystal Display）２０２とを備えている。
【００２３】
以上のような構成を備えることによって、ＣＰＵ３０１は、例えば、手差しシートの用紙サイズをユーザー設定させる用紙サイズ設定画面の画像データをＨＤＤ３０４から読み出して液晶ディスプレイ２０２に表示し、ユーザーが用紙サイズを設定するためのピンチ操作をタッチパッド２０１にて検知して、サイズ設定を受け付ける。
（２）コントローラー部１２２の機能構成
次に、コントローラー部１２２の機能構成について説明する。
【００２４】
図４に示されるように、コントローラー部１２２は、ピンチ操作検知部４０１、情報処理部４０２及び表示制御部４０３を備えている。ピンチ操作検知部４０１は、用紙サイズ設定画面においてピンチ操作を検知する。情報処理部４０２は、ピンチ操作検知部４０１が検知したピンチ操作の角度を算出し、ピンチ操作の角度に応じて調整量Ａを切り替える。ピンチ操作の角度とは、ピンチ操作における２つのタッチ位置を結んだ直線が、タッチパッド２０１の座標軸に対してなす角度をいう。また、調整量Ａは、Ｘ方向の調整量ＡｘとＹ方向の調整量Ａｙとに分けられる。
【００２５】
ピンチ操作の角度がタッチパッド２０１のＸ方向に対して±閾値の角度範囲内である場合、本実施の形態においては当該閾値を１５度として、図５に示されるように、１５度（３４５度）から１５度まで及び１６５度から１９５度までの角度範囲内にある場合には、調整量Ａｘを細かくし、調整量Ａｙを０にする。ピンチ操作の角度がこのような角度範囲内にあるピンチ操作を、本実施の形態においてはＸ方向操作といい、用紙長の調整量Ａｘを０．１ｍｍにする。
【００２６】
ピンチ操作の角度がタッチパッド２０１のＹ方向に対して±閾値の角度範囲内である場合、本実施の形態においては当該閾値を１５度として、７５度から１０５度まで２５５度から２８５度までの角度範囲内にある場合には、調整量Ａｘを０にし、調整量Ａｙを細かくする。ピンチ操作の角度がこのような角度範囲内にあるピンチ操作を、本実施の形態においてはＹ方向操作といい、用紙幅の調整量Ａｙを０．１ｍｍにする。
【００２７】
また、ピンチ操作の角度が上記の角度範囲外である場合、本実施の形態においては１５度から７５度、１０５度から１６５度まで、１９５度から２５５度まで及び２８５度から３４５度までの角度範囲内にある場合には調整量Ａｘ、Ａｙを共に粗くする。ピンチ操作の角度がこのような角度範囲内にあるピンチ操作を、本実施の形態においては斜め操作といい、用紙長の調整量Ａｘと用紙幅の調整量Ａｙとを共に１００．０ｍｍにする。
【００２８】
本実施の形態においては、ピンチ操作を１回行うたびに調整量だけサイズ設定を変更する。具体的には、Ｘ方向操作を１回行うたびに用紙長のサイズ設定を０．１ｍｍだけ変更し、Ｙ方向操作を１回行うたびに用紙幅のサイズ設定を０．１ｍｍだけ変更し、斜め操作を１回行うたびに用紙長及び用紙幅のサイズ設定を１００．０ｍｍだけ変更する。
なお、指を開くピンチ操作であるピンチアウト操作（以下、「拡大操作」という。）では調整量Ａだけサイズ設定を増加させ、指を閉じるピンチ操作であるピンチイン操作（以下、「縮小操作」という。）では調整量Ａだけサイズ設定を減少させる。
【００２９】
表示制御部４０３は、情報処理部４０２が切り替えた調整量に合わせ、ピンチ操作検知部４０１が検知したピンチ操作に応じて、操作パネル１００における用紙サイズ表示を変更する。
（３）コントローラー部１２２の動作
次に、コントローラー部１２２の動作について、図６のフローチャートを用いて説明する。
【００３０】
用紙サイズを設定する際には、コントローラー部１２２は、まず、用紙サイズ設定画面を表示する（Ｓ６０１）。用紙サイズ設定画面は、図７に例示されるように、画面の右側にはピンチ操作によるサイズ設定を受け付けるピンチ操作受付領域７００が設けられており、画面の左側には用紙サイズ表示領域７１０が設けられている。
ピンチ操作受付領域７００においてピンチ操作を行うと、ピンチ操作の角度に応じた調整量Ａｘ、Ａｙで用紙サイズが調整される。ピンチ操作受付領域７００には設定サイズに応じた長方形７０１が表示される。設定サイズが変更されると長方形７０１のサイズも変更される。
【００３１】
用紙サイズ表示領域７１０は、ＸＹ方向説明図７１１、用紙長表示領域７２０及び用紙幅表示領域７３０を有している。ＸＹ方向説明図７１１には手差しトレイ７１２、用紙７１３及び「Ｘ」、「Ｙ」の文字７１４が表示されており、ＸＹ方向が説明される。
用紙長表示領域７２０には用紙サイズのうち用紙長（Ｘ方向のサイズ。図７では４５７．２ｍｍ）が表示される。これに併せて、図７では、用紙長の上限４５７．２ｍｍと下限１３９．７ｍｍも表示されている。用紙幅表示領域７３０には用紙幅（Ｙ方向のサイズ。図７では３１１．１ｍｍ）が表示される。これに併せて、図７では、用紙長の上限４５７．２ｍｍと下限１３９．７ｍｍも表示されている。
【００３２】
「閉じる」ボタン７４０がタッチされるとサイズ設定処理が終了する。
さて、図６に戻って、ピンチ操作検知部４０１がピンチ操作受付領域７００におけるピンチ操作を検知すると（Ｓ６０２：Ｙｅｓ）、情報処理部４０２は、現在表示中の画面が用紙サイズ設定画面７であるか確認する。現在表示中の画面が用紙サイズ設定画面７である場合には（Ｓ６０３：Ｙｅｓ）、ピンチ操作の角度を算出する（Ｓ６０４）。
【００３３】
ピンチ操作の角度は、例えば、図８のように算出される。まず、タッチ位置が１つ以下である状態からタッチ位置が２つである状態に移行したら、２点タッチを検出したとして（Ｓ８０１：Ｙｅｓ）、これら２つのタッチ位置を初期位置として、２点間の距離Ｄ１を次式のように算出する（Ｓ８０２）。
【００３４】
【数１】
2017017417.tif 000003
ここで、（ｘ11、ｙ11）、（ｘ12、ｙ12）は初期位置における２点のタッチ座標である。
その後、ピンチ操作検知部４０１は、タッチパッド２０１の出力を監視して、２点タッチが終了するまで（Ｓ８０４：Ｙｅｓ）、タッチ位置の座標を繰り返し記録する（Ｓ８０３）。２点タッチが終了したら（Ｓ８０４：Ｎｏ）、ピンチ操作が終了したと判断されるので、最後に記録したタッチ位置を最終位置として、次式のように２点間の距離Ｄ２と角度θを算出する（Ｓ８０５）。
【００３５】
【数２】
2017017417.tif 000004
ここで、（ｘ21、ｙ21）、（ｘ22、ｙ22）は最終位置における２点のタッチ座標である。
最後に、算出された距離Ｄ１、Ｄ２を比較して、初期位置における距離Ｄ１の方が最終位置における距離Ｄ２よりも大きければ縮小操作と判定し、さもなければ拡大操作と判定して（Ｓ８０６）、処理を終了する。
【００３６】
図６に戻って、ピンチ操作がＸ方向操作である場合には（Ｓ６０５：Ｙｅｓ）、調整量Ａｘを０．１ｍｍに、調整量Ａｙを０ｍｍに設定する（Ｓ６０６）。また、ピンチ操作がＹ方向操作である場合には（Ｓ６０７：Ｙｅｓ）、調整量Ａｘを０ｍｍに、調整量Ａｙを０．１ｍｍに設定する（Ｓ６０８）。ピンチ操作が斜め操作である場合には（Ｓ６０７：Ｎｏ）、調整量Ａｘ、Ａｙを共に１００．０ｍｍに設定する（Ｓ６０９）。
【００３７】
タッチ操作が拡大操作である場合には（Ｓ６１０：Ｙｅｓ）、サイズ設定をＸ方向については調整量Ａｘだけ増加させ、Ｙ方向については調整量Ａｙだけ増加させる（Ｓ６１１）。また、縮小操作である場合には（Ｓ６１０：Ｎｏ）、サイズ設定をＸ方向については調整量Ａｘだけ減少させ、Ｙ方向については調整量Ａｙだけ減少させる（Ｓ６１２）。
例えば、Ｘ方向操作の場合には、図９（ａ）に示されるように、サイズ設定をＸ方向に０．１ｍｍだけ増減する。また、Ｙ方向操作の場合には、図９（ｂ）に示されるように、サイズ設定をＹ方向に０．１ｍｍだけ増減する。更に、斜め操作の場合には、図９（ｃ）に示されるように、サイズ設定をＸ、Ｙ両方向に１００．０ｍｍだけ増減する。
【００３８】
最後に変更後のサイズ設定に従って、ピンチ操作受付領域７００に表示する長方形７０１のサイズを変更する（Ｓ６１３）。また、これに併せて、用紙長表示領域７２０に表示される用紙長や用紙幅表示領域７３０に表示される用紙幅も更新される。
ステップＳ６１２の処理を完了した後はステップＳ６０２へ進む。ピンチ操作が検知されず（Ｓ６０２：Ｎｏ）、「閉じる」ボタン７４０がタッチされた場合は（Ｓ６２０：Ｙｅｓ）、サイズ設定処理を終了する。
【００３９】
このようにすれば、ピンチ操作の角度によって調整量Ａｘ、Ａｙを切り替えることができるので、ピンチ操作によって効率よく不定型用紙のサイズをユーザー設定させることができる。
［２］第２の実施の形態
次に、本発明の第２の実施の形態について説明する。本実施の形態に係る画像形成装置は、上記第１の実施の形態に係る画像形成装置と概ね共通の構成を備える一方、用紙サイズ設定画面７のピンチ操作受付領域７００に調整量Ａｘ、Ａｙを表示する点において相違している。以下、この相違点に着目して説明する。
【００４０】
なお、異なる実施の形態において共通する要素がある場合には同じ符号が用いられる。
図１０は、図６に示された上記第１の実施の形態に係るコントローラー部１２２の動作に追加して、本実施の形態に係るコントローラー部１２２が実行する動作を示すフローチャートである。図１０に示されるように、コントローラー部１２２は、ステップＳ６１３を実行した後、ピンチ操作がＸ方向操作である場合には（Ｓ１０００：Ｙｅｓ）、図１１（ａ）に示されるように、用紙サイズ設定画面７のピンチ操作受付領域７００に調整量ＡｘとＸ方向を示す矢印１１０１とを表示する（Ｓ１００１）。
【００４１】
ピンチ操作がＹ方向操作である場合には（Ｓ１００２：Ｙｅｓ）、図１１（ｂ）に示されるように、用紙サイズ設定画面７のピンチ操作受付領域７００に調整量ＡｙとＹ方向を示す矢印１１０２とを表示する（Ｓ１００３）。また、ピンチ操作が斜め操作である場合には（Ｓ１００２：Ｎｏ）、図１１（ｃ）に示されるように、用紙サイズ設定画面７のピンチ操作受付領域７００に調整量Ａｘ、Ａｙを両方ともとＸ、Ｙ方向をそれぞれ示す矢印１１０３と表示する（Ｓ１００４）。その後、ステップＳ６０２に進む。
【００４２】
このようにすれば、ユーザーは調整量Ａｘ、Ａｙを確認しながらサイズ設定することができるので便利である。
［３］第３の実施の形態
次に、本発明の第３の実施の形態について説明する。本実施の形態に係る画像形成装置は、上記第１の実施の形態に係る画像形成装置と概ね共通の構成を備える一方、サイズ設定中に用紙長又は用紙幅が上限値又は下限値に達した場合に、上下限値を超えないようにサイズ設定を制限する点において相違している。以下、この相違点に着目して説明する。
【００４３】
図１２は、図６に示された上記第１の実施の形態に係るコントローラー部１２２の動作の一部（Ｓ６０５〜Ｓ６０９）に代えて、本実施の形態に係るコントローラー部１２２が実行する動作を示すフローチャートである。図１２に示されるように、コントローラー部１２２は、ステップＳ６０４を実行した後、調整量Ａｘ、Ａｙを共に０ｍｍにする（Ｓ１２００）。
【００４４】
ピンチ操作がＸ方向操作である場合には（Ｓ１２０１：Ｙｅｓ）、ピンチ操作が拡大操作であるか縮小操作であるかを確認する。ピンチ操作が拡大操作であれば（Ｓ１２０２：Ｙｅｓ）、用紙長の現在の設定サイズを参照する。用紙長が上限値未満であれば（Ｓ１２０３：Ｙｅｓ）、調整量Ａｘを０．１ｍｍにする（Ｓ１２０４）。
ピンチ操作が縮小操作であって（Ｓ１２０２：Ｎｏ）、かつ用紙長が下限値よりも大きい場合も（Ｓ１２０５：Ｙｅｓ）、調整量Ａｘを０．１ｍｍにする（Ｓ１２０６）。なお、本実施の形態においては、図７に示されるように、用紙長の上限値は４５７．２ｍｍであり、下限値は１３９．７ｍｍである。
【００４５】
ピンチ操作がＹ方向操作である場合には（Ｓ１２１１：Ｙｅｓ）、ピンチ操作が拡大操作であるか縮小操作であるかを確認する。ピンチ操作が拡大操作であれば（Ｓ１２１２：Ｙｅｓ）、用紙幅の現在の設定サイズを参照する。用紙幅が上限値未満であれば（Ｓ１２１３：Ｙｅｓ）、調整量Ａｙを０．１ｍｍにする（Ｓ１２１４）。
ピンチ操作が縮小操作であって（Ｓ１２１２：Ｎｏ）、かつ用紙幅が下限値よりも大きい場合も（Ｓ１２１５：Ｙｅｓ）、調整量Ａｙを０．１ｍｍにする（Ｓ１２１６）。本実施の形態においては、用紙幅の上限値は３２０．０ｍｍであり、下限値は９０．０ｍｍである。
【００４６】
ピンチ操作が斜め操作である場合にも（Ｓ１２１１：Ｙｅｓ）、ピンチ操作が拡大操作であれば（Ｓ１２２１：Ｙｅｓ）、用紙長の現在の設定サイズを参照する。用紙長が上限値未満であれば（Ｓ１２２２：Ｙｅｓ）、調整量Ａｘを１００．０ｍｍにする（Ｓ１２２３）。また、用紙幅の現在の設定サイズを参照して、上限値未満であれば（Ｓ１２２４：Ｙｅｓ）、調整量Ａｙを１００．０ｍｍにする（Ｓ１２２５）。
【００４７】
ピンチ操作が縮小操作である場合には（Ｓ１２２１：Ｎｏ）、用紙長が下限値よりも大きければ（Ｓ１２２２：Ｙｅｓ）、調整量Ａｘを１００．０ｍｍにする（Ｓ１２２３）。また、用紙幅の現在の設定サイズを参照して、上限値未満であれば（Ｓ１２２４：Ｙｅｓ）、調整量Ａｙを１００．０ｍｍにする（Ｓ１２２５）。
その後、ステップＳ６１３へ進んで上記の処理を繰り返す。
【００４８】
図１３は、サイズ設定を制限した場合の用紙サイズ設定画面７を例示する図である。図１３に示されるように、用紙幅のサイズ設定が上限値である３２０．０ｍｍに達した場合には、Ｙ方向に拡大操作を行っても（Ｓ１２１２：Ｙｅｓ）、用紙幅が上限値に達しているので（Ｓ１２１３：Ｎｏ）、調整量ＡｙはステップＳ１２００で設定された０ｍｍのままになる。従って、拡大操作を行っても調整量Ａｙが０ｍｍなので、用紙幅のサイズ設定は大きくならない。
【００４９】
一方、Ｙ方向に縮小操作を行う場合には（Ｓ１２１２：Ｎｏ）、用紙幅が上限値に達しているかに関わらず、下限値に達していなければ（Ｓ１２１５：Ｙｅｓ）、調整量Ａｙを０．１ｍｍにするので、用紙幅のサイズ設定を縮小することができる。
また、Ｘ方向については、用紙長が上限値にも下限値にも達していないので、拡大操作であっても縮小操作であっても、ピンチ操作Ｘ方向操作である場合には調整量Ａｘは０．１ｍｍにされ、斜め操作である場合には調整量Ａｘは１００．０ｍｍにされる。
【００５０】
このようにすれば、用紙サイズが上下限値を超えて設定されるのを防止することができる。
［４］第４の実施の形態
次に、本発明の第４の実施の形態について説明する。本実施の形態に係る画像形成装置は、上記第１の実施の形態に係る画像形成装置と概ね共通の構成を備える一方、ピンチ操作の他にボタン操作によっても用紙サイズを設定することができる点において相違している。以下、この相違点に着目して説明する。
【００５１】
（１）用紙サイズ設定画面
まず、用紙サイズ設定画面７の構成について説明する。
図７に示されるように、用紙長表示領域７２０には用紙サイズ調整ボタン７２１、７２２が設けられており、用紙サイズ調整ボタン７２１がタッチされると表示数値が増加され、用紙サイズ調整ボタン７２２がタッチされると表示数値が減少される。これに併せて用紙長のサイズ設定及び長方形７０１のサイズも更新される。
【００５２】
また、用紙幅表示領域７３０にも同様の用紙サイズ調整ボタン７３１、７３２が設けられており、用紙サイズ調整ボタン７３１、７３２がタッチされると表示数値が増加／減少され、用紙幅のサイズ設定及び長方形７０１のサイズも更新される。
本実施の形態においては、用紙サイズ調整ボタン７２１、７２２、７３１、７３２はサイズ設定の微調整に用いられ、ユーザーが１回タッチする毎に用紙長や用紙幅が０．１ｍｍずつ増減されるが、調整量は０．１ｍｍに限定されないのは言うまでもない。
【００５３】
（２）コントローラー部１２２の動作
次に、コントローラー部１２２の動作について説明する。
図１４は、本実施の形態に係るコントローラー部１２２の動作のうち、図６の動作に追加的に実行される動作を示すフローチャートである。図１４に示されるように、コントローラー部１２２は、ステップＳ６０２でＮｏである場合、用紙サイズ調整ボタン７２１がタッチされたら（Ｓ１４０１：Ｙｅｓ）、用紙長のサイズ設定を０．１ｍｍだけ増加させる（Ｓ１４０２）。
【００５４】
同様に、用紙サイズ調整ボタン７２２がタッチされたら（Ｓ１４０３：Ｙｅｓ）、用紙長のサイズ設定を０．１ｍｍだけ減少させる（Ｓ１４０４）。用紙サイズ調整ボタン７３１がタッチされたら（Ｓ１４０５：Ｙｅｓ）、用紙幅のサイズ設定を０．１ｍｍだけ増加させ（Ｓ１４０６）、用紙サイズ調整ボタン７３２がタッチされたら（Ｓ１４０７：Ｙｅｓ）、用紙幅のサイズ設定を０．１ｍｍだけ減少させる（Ｓ１４０８）。
【００５５】
その後、調整量Ａｘ、Ａｙを何れも０．１ｍｍに設定し（Ｓ１４０９）、「閉じる」ボタン７４０がタッチされた場合は（Ｓ６２０：Ｙｅｓ）、サイズ設定処理を終了する。
このようにすれば、用紙サイズ設定画面の操作性を更に向上させることができる。また、ボタン操作によるサイズ調整は微調整であると考えられるので、自動的に調整量Ａｘ、Ａｙを０．１ｍｍに設定すればユーザー操作を滑らかにすることができる。
【００５６】
［５］第５の実施の形態
次に、本発明の第５の実施の形態について説明する。本実施の形態に係る画像形成装置は、上記第１の実施の形態に係る画像形成装置と概ね共通の構成を備える一方、用紙サイズに加えてオーバーレイのサイズを設定することができる点において相違している。以下、この相違点に着目して説明する。
【００５７】
（１）オーバーレイ指定画面
図１５に示されるように、本実施の形態に係るオーバーレイ指定画面１５においては、画面の右側にはピンチ操作によるオーバーレイ設定を受け付ける受付領域１５００が設けられており、左側にはオーバーレイのサイズを表示する表示領域１５１０が設けられている。受付領域１５００には、定型の用紙サイズを表す矩形１５０１が２点鎖線で示されている。
【００５８】
オーバーレイ指定画面１５が表示されると、まず、オーバーレイのサイズ設定の調整量が初期値、例えば１００．０ｍｍに設定される。受付領域１５００には定型の用紙サイズを示す矩形１５０２が表示されている。ピンチ操作によってオーバーレイのサイズが何れかの定型サイズから閾値範囲内にあるサイズまで変更されると、オーバーレイのサイズ設定の調整量が初期値よりも小さい値、例えば０．１ｍｍに設定される。オーバーレイのサイズもまた矩形１５０１で受付領域１５００に表示される。
【００５９】
表示領域１５１０の構成は、用紙サイズ設定画面７における用紙サイズ表示領域７１０と同様である。また、用紙サイズ設定画面７と同様に「閉じる」ボタン７４０も表示される。
（２）コントローラー部１２２の動作
次に、コントローラー部１２２の動作について説明する。
【００６０】
図１６に示されるように、コントローラー部１２２は、液晶ディスプリ２０２にオーバーレイ指定画面１５を表示すると（Ｓ１６０１）、まず、調整量Ａｘ、Ａｙを１００．０ｍｍに初期化する。調整量ＡｘはＸ方向（用紙長方向）におけるオーバーレイサイズの調整量であり、調整量ＡｙはＹ方向（用紙幅方向）におけるオーバーレイサイズの調整量である。
【００６１】
その後、受付領域１５００においてピンチ操作を検知したら（Ｓ１６０３：Ｙｅｓ）、当該ピンチ操作の角度を算出する（Ｓ１６０４）。当該ピンチ操作がＸ方向操作である場合には（Ｓ１６０５：Ｙｅｓ）、拡大操作であれば（Ｓ１６０６：Ｙｅｓ）、オーバーレイのＸ方向サイズを調整量Ａｘだけ増加させ（Ｓ１６０７）、縮小操作ならば（Ｓ１６０６：Ｎｏ）、Ｘ方向サイズを調整量Ａｘだけ減少させる（Ｓ１６０８）。
【００６２】
また、当該ピンチ操作がＹ方向操作である場合には（Ｓ１６０９：Ｙｅｓ）、拡大操作であれば（Ｓ１６１０：Ｙｅｓ）、オーバーレイのＹ方向サイズを調整量Ａｙだけ増加させ（Ｓ１６１１）、縮小操作ならば（Ｓ１６１０：Ｎｏ）、Ｙ方向サイズを調整量Ａｙだけ減少させる（Ｓ１６１２）。
ピンチ操作が斜め操作である場合には（Ｓ１６０９：Ｎｏ）、拡大操作であれば（Ｓ１６１３：Ｙｅｓ）、オーバーレイの現在の設定サイズよりも大きくかつ、最も近い定型サイズまで設定サイズを拡大させ（Ｓ１６１４）、縮小操作ならば（Ｓ１６１３：Ｎｏ）、設定サイズよりも小さくかつ、最も近い定型サイズまで設定サイズを縮小させる（Ｓ１６１５）。
【００６３】
その後、調整後のサイズに合せて、受付領域１５００における矩形１５０１の画面表示を更新して（Ｓ１６１６）、ステップＳ１６０３に進んで、上記の処理を繰り返す。
このようにすれば、オーバーレイのサイズ設定のためのピンチ操作を容易にすることができる。
［６］第６の実施の形態
次に、本発明の第６の実施の形態について説明する。本実施の形態に係る画像形成装置は、上記第１の実施の形態に係る画像形成装置と概ね共通の構成を備える一方、長尺用紙のサイズ設定を行わせる点において相違している。以下、この相違点に着目して説明する。
【００６４】
（１）長尺用紙サイズ設定画面
まず、長尺用紙サイズ設定画面について説明する。
長尺用紙サイズ設定画面は連続用紙などの長尺用紙の用紙幅を設定させる画面である。図１７に示されるように、長尺用紙サイズ設定画面１７は、画面の右側にピンチ操作によるサイズ設定を受け付ける受付領域１７００が設けられており、左側には用紙幅のサイズを表示する表示領域１７１０が設けられている。
【００６５】
受付領域１７００では、Ｘ方向操作とＹ方向操作との何れのピンチ操作でも用紙幅のサイズ設定が変更される。
表示領域１７１０の構成は、用紙サイズ設定画面７における用紙サイズ表示領域７１０と概ね同様であるが、用紙長表示領域は省かれる。また、用紙サイズ設定画面７と同様に「閉じる」ボタン７４０も表示される。
【００６６】
（２）コントローラー部１２２の動作
次に、コントローラー部１２２の動作について説明する。
図１８に示されるように、コントローラー部１２２は、まず長尺用紙サイズ設定画面１７を液晶ディスプレイ２０２に表示する（Ｓ１８０１）。ピンチ操作検知部４０１が受付領域１７００におけるピンチ操作を検知すると（Ｓ１８０２：Ｙｅｓ）、情報処理部４０２は、現在表示中の画面が用紙サイズ設定画面７であるか確認する。現在表示中の画面が用紙サイズ設定画面７である場合には（Ｓ１８０３：Ｙｅｓ）、ピンチ操作の角度を算出する（Ｓ１８０４）。
【００６７】
ピンチ操作がＸ方向操作でもＹ方向操作でもない場合には（Ｓ１８０５：ＮｏかつＳ１８０６：Ｎｏ）、調整量Ａｙを１００．０ｍｍに設定する（Ｓ１８０７）。ピンチ操作がＸ方向操作である場合や（Ｓ１８０５：Ｙｅｓ）、Ｙ方向操作である場合には（Ｓ１８０６：Ｙｅｓ）、調整量Ａｙを０．１ｍｍに設定する（Ｓ１８０８）。
タッチ操作が拡大操作である場合には（Ｓ１８０９：Ｙｅｓ）、用紙幅を調整量Ａｙだけ増加させる（Ｓ１８１０）。また、縮小操作である場合には（Ｓ１８０９：Ｎｏ）、用紙幅を調整量Ａｙだけ減少させる（Ｓ１８１１）。
【００６８】
最後に変更後のサイズ設定に従って、受付領域７００に表示する長方形７０１の用紙幅を変更し（Ｓ１８１３）、これに併せて、表示領域７３０に表示される用紙幅も更新される。ステップＳ１８１２の処理を完了した後はステップＳ１８０２へ進む。ピンチ操作が検知されず（Ｓ１８０２：Ｎｏ）、「閉じる」ボタン７４０がタッチされた場合は（Ｓ１８１３：Ｙｅｓ）、サイズ設定処理を終了する。
【００６９】
このようにすれば、ピンチ操作によって効率よく長尺の不定型用紙のサイズをユーザー設定させることができる。
［７］第７の実施の形態
次に、本発明の第７の実施の形態について説明する。本実施の形態に係る画像形成装置は、上記第１の実施の形態に係る画像形成装置と概ね共通の構成を備える一方、ピンチ操作の角度に加えて設定サイズが定型サイズに近いか否かによっても調整量Ａｘ、Ａｙを変更する点において相違している。以下、この相違点に着目して説明する。
【００７０】
図１９は、本実施の形態に係るコントローラー部１２２の動作を示すフローチャートであって、特に図６と相違する箇所が示されている。図１９に示されるように、ピンチ操作がＸ方向操作でもＹ方向操作でもない場合（Ｓ６０７：Ｎｏ）、用紙長の設定サイズＳｘ、用紙幅の設定サイズＳｙがそれぞれ定型サイズの用紙長、用紙幅に対して、所定範囲内にあるか否かによって、設定サイズが定型サイズの近傍か否かを判定する。
【００７１】
本実施の形態においては、定型サイズに対して±５．０ｍｍの範囲内にあれば、設定サイズが定型サイズの近傍にあると判定する。例えば、定型のＡ４サイズに対しては、
２９７．０−５．０ｍｍ  ≦  Ｓｘ  ≦  ２９７．０＋５．０ｍｍ
２１０．０−５．０ｍｍ  ≦  Ｓｙ  ≦  ２１０．０＋５．０ｍｍ
または、
２１０．０−５．０ｍｍ  ≦  Ｓｘ  ≦  ２１０．０＋５．０ｍｍ
２９７．０−５．０ｍｍ  ≦  Ｓｙ  ≦  ２９７．０＋５．０ｍｍ
である場合に、設定サイズがＡ４サイズの近傍にあると判定する。Ａ４以外の定型サイズについても同様である。
【００７２】
設定サイズが定型サイズの近傍にある場合には（Ｓ１９０１：Ｙｅｓ）、調整量Ａｘ、Ａｙを何れも０．１ｍｍにし（Ｓ１９０２）、さもなければ（Ｓ１９０１：Ｎｏ）、調整量Ａｘ、Ａｙを何れも１００．０ｍｍにする（Ｓ６０９）。
このようにしても、ユーザー操作を煩瑣にすることなく、不定型用紙の詳細なサイズ設定を行わせることができる。
【００７３】
［８］変形例
以上、本発明を実施の形態に基づいて説明してきたが、本発明が上述の実施の形態に限定されないのは勿論であり、以下のような変形例を実施することができる。
（１）上記実施の形態においては、調整量Ａｘ、Ａｙを共に斜め操作では１００．０ｍｍに、他のピンチ操作では０．１ｍｍにする場合を例にとって説明したが、本発明がこれに限定されないのは言うまでもなく、これに代えて、Ｘ方向操作とＹ方向操作とで調整量Ａｘ、Ａｙの値が異なってもよい。例えば、用紙幅よりも用紙長の方が長い場合には、斜め操作において調整量Ａｘを調整量Ａｙよりも大きくすれば、サイズ設定のためのピンチ操作の手間を更に軽減することができる。
【００７４】
（２）上記実施の形態においては、斜め操作における調整量Ａｘ、Ａｙが所定の長さ（１００．０ｍｍ）である場合を例にとって説明したが、本発明がこれに限定されないのは言うまでもなく、これに代えて所定の比率であるとしてもよい。例えば、斜め操作の場合には用紙長や用紙幅を５％等、所定の比率ずつ増減させてもよい。このようにしても、サイズ設定のためのピンチ操作の手間を軽減することができる。
【００７５】
（３）上記実施の形態においては、１回のピンチ操作ごとに調整量Ａｘ、Ａｙだけ設定サイズを増減する場合を例にとって説明したが、本発明における単位操作がこれに限定されないのは言うまでもなく、これに代えて次のようにしてもよい。例えば、ピンチ操作における２つのタッチ位置の間隔が所定の距離以上、増減するのを単位操作として、単位操作毎に調整量Ａｘ、Ａｙだけ設定サイズを増減してもよい。このようにしても同様の効果を得ることができる。
【００７６】
（４）上記実施の形態においては、ピンチ操作の角度がタッチパッド２０１のＸＹ座標の座標軸方向に対して±閾値の角度範囲内であるか否かによって、斜め操作か否かを判定する場合を例にとって説明したが、本発明がこれに限定されないのは言うまでもなく、Ｘ座標軸とＹ座標軸とで閾値の大きさを異ならせてもよい。
すなわち、Ｘ座標軸に対しては±α度（例えば、１０度）、Ｙ座標軸に対しては±β度（例えば、２０度）の角度範囲内にあるか否かによって斜め操作であるか否かを判定してもよい。ただし、斜め操作の角度範囲を確保する必要から、αとβとの合計は９０未満である。
【００７７】
ピンチ操作の方向によってピンチ操作のし易さや精度が異なり得るので、ユーザーがピンチ操作し難い方向については角度範囲を広くすれば、より容易に精度良くサイズ設定することができるので、ユーザーの利便性に資することができる。
（５）上記実施の形態においては、ピンチ操作の角度に応じて設定サイズの調整量を０．１ｍｍと１００．０ｍｍの２段階に切り替える場合を例にとって説明したが、本発明がこれに限定されないのは言うまでもなく、ピンチ操作の角度に応じて設定サイズの調整量を連続的に切り替えてもよい。例えば、上記実施の形態における斜め方向操作においては、ピンチ操作の角度が座標軸に対して４５度である場合には調整量を１００．０ｍｍとし、ピンチ操作の角度が座標軸に対して４５度から離れるに従って、調整量を０．１ｍｍまで漸減させてもよい。
【００７８】
（６）上記実施の形態においては、画像形成装置１がカラー複合機である場合を例にとって説明したが、本発明がこれに限定されないのは言うまでもなく、カラー複合機に代えてモノクロ複合機に本発明を適用してもよい。また、プリンター装置や、スキャナー部を有する複写装置、更に通信機能を有するファクシミリ装置等の単機能機に本発明を適用しても同様の効果を得ることができる。
【産業上の利用可能性】
【００７９】
本発明に係る画像形成装置は、不定型用紙サイズをピンチ操作により効率よくユーザー設定させる装置として有用である。
【符号の説明】
【００８０】
１………画像形成装置
７………用紙サイズ設定画面７
１７……長尺用紙サイズ設定画面
１００…操作パネル
２００…タッチパネル部
２１０…ハードキー
１２０…プリンター部
１２２…コントローラー部
２０１…タッチパッド
２０２…液晶ディスプレイ
４０１…ピンチ操作検知部
４０２…情報処理部
４０３…表示制御部
７００…ピンチ操作受付領域
７１０…用紙サイズ表示領域
【図１】
2017017417.tif 000005
【図２】
2017017417.tif 000006
【図３】
2017017417.tif 000007
【図４】
2017017417.tif 000008
【図５】
2017017417.tif 000009
【図６】
2017017417.tif 000010
【図７】
2017017417.tif 000011
【図８】
2017017417.tif 000012
【図９】
2017017417.tif 000013
【図１０】
2017017417.tif 000014
【図１１】
2017017417.tif 000015
【図１２】
2017017417.tif 000016
【図１３】
2017017417.tif 000017
【図１４】
2017017417.tif 000018
【図１５】
2017017417.tif 000019
【図１６】
2017017417.tif 000020
【図１７】
2017017417.tif 000021
【図１８】
2017017417.tif 000022
【図１９】
2017017417.tif 000023